【手続補正書】
【提出日】平成19年8月29日(2007.8.29)
【手続補正１】
【補正対象書類名】明細書
【補正対象項目名】特許請求の範囲
【補正方法】変更
【補正の内容】
【特許請求の範囲】
【請求項１】  入賞態様を抽選する入賞態様抽選処理を行う主制御回路と、遊技者が見て入賞態様の抽選結果を把握する演出表示を行う主演出表示装置と、この主演出表示装置による演出表示を補助する演出表示を行う，前記主演出表示装置とは別に，該主演出表示装置よりも小さく構成された副演出表示装置とを備えて構成される遊技機において、
前記副演出表示装置は、入賞ラインを有し、前記主制御回路によってその演出表示が制御され、前記主制御回路は、抽選した入賞態様に応じた図柄の組み合わせを前記入賞ラインに揃えると共に、これを揃える際に図柄を第１の範囲で滑らせ、
前記主演出表示装置は、入賞ラインを有し、前記主制御回路とは別に構成された副制御回路によってその演出表示が制御され、前記副制御回路は、前記主制御回路で抽選された入賞態様に応じた図柄の組み合わせを前記入賞ラインに揃えると共に、これを揃える際に図柄を前記第１の範囲よりも広い第２の範囲で滑らせることを特徴とする遊技機。
【請求項２】  前記主演出表示装置は遊技機の本体中央部に配置され、前記副演出表示装置は遊技機の本体上部に配置されることを特徴とする請求項１に記載の遊技機。
【請求項３】  前記主演出表示装置は複数の図柄を複数列に表示することを特徴とする請求項１または請求項２に記載の遊技機。
【請求項４】  前記副制御回路は、前記主制御回路でハズレ入賞態様が抽選されると、前記第１の範囲内で図柄を滑らせ、ハズレ以外の入賞態様が抽選されると、期待値が前記第１の範囲に近くなる抽選によって前記第２の範囲から選択した範囲で図柄を滑らせることを特徴とする請求項１から請求項３のいずれか１項に記載の遊技機。
【請求項５】  前記副制御回路は、前記主制御回路で特定の入賞態様が抽選されると、前記主演出表示装置に表示する図柄の色または図柄の背景の色を変色させることを特徴とする請求項１から請求項４のいずれか１項に記載の遊技機。
【請求項６】  前記特定の入賞態様はボーナス入賞態様であることを特徴とする請求項５に記載の遊技機。
【請求項７】  前記主演出表示装置は複数の図柄を複数列に表示し、前記副制御回路は停止する表示列を抽選によって決定することを特徴とする請求項１から請求項６のいずれか１項に記載の遊技機。
【請求項８】  前記副制御回路は前記主演出表示装置の演出表示方向を逆転させる演出表示を行うことを特徴とする請求項１から請求項７のいずれか１項に記載の遊技機。
【請求項９】  前記副制御回路は抽選で当選すると逆転させる前記演出表示を行うことを特徴とする請求項８に記載の遊技機。
【請求項１０】  前記副制御回路は前記主演出表示装置の演出表示速度を前記副演出表示装置の演出表示速度と異ならせることを特徴とする請求項１から請求項９のいずれか１項に記載の遊技機。
【請求項１１】  前記主演出表示装置および前記副演出表示装置は機械的なリールまたはリールを電子的に表示する電子的表示装置であることを特徴とする請求項１から請求項１０のいずれか１項に記載の遊技機。
【請求項１２】  前記遊技機はスロットマシンまたは弾球遊技機であることを特徴とする請求項１から請求項１１のいずれか１項に記載の遊技機。
【手続補正２】
【補正対象書類名】明細書
【補正対象項目名】０００６
【補正方法】変更
【補正の内容】
【０００６】
【課題を解決するための手段】
本発明はこのような課題を解決するためになされたもので、入賞態様を抽選する入賞態様抽選処理を行う主制御回路と、遊技者が見て入賞態様の抽選結果を把握する演出表示を行う主演出表示装置と、この主演出表示装置による演出表示を補助する演出表示を行う，主演出表示装置とは別に，該主演出表示装置よりも小さく構成された副演出表示装置とを備えて構成される遊技機において、
副演出表示装置は、入賞ラインを有し、主制御回路によってその演出表示が制御され、主制御回路は、抽選した入賞態様に応じた図柄の組み合わせを入賞ラインに揃えると共に、これを揃える際に図柄を第１の範囲で滑らせ、
主演出表示装置は、入賞ラインを有し、主制御回路とは別に構成された副制御回路によってその演出表示が制御され、副制御回路は、主制御回路で抽選された入賞態様に応じた図柄の組み合わせを入賞ラインに揃えると共に、これを揃える際に図柄を第１の範囲よりも広い第２の範囲で滑らせることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
また、副演出表示装置は主制御回路によってその演出表示が制御される。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
また、主制御回路は、抽選した入賞態様に応じた図柄の組み合わせを副演出表示装置に揃える際に図柄を第１の範囲で滑らせ、副制御回路は、主演出表示装置に入賞態様に応じた図柄の組み合わせを揃える際、規制を受けることなく、第１の範囲より広い第２の範囲で図柄を滑らせることが出来る。
【手続補正７】
【補正対象書類名】明細書
【補正対象項目名】００１２
【補正方法】変更
【補正の内容】
【００１２】
また、本発明は、副制御回路が、主制御回路でハズレ入賞態様が抽選されると、第１の範囲内で図柄を滑らせ、ハズレ以外の入賞態様が抽選されると、期待値が前記第１の範囲に近くなる抽選によって第２の範囲から選択した範囲で図柄を滑らせることを特徴とする。
【手続補正８】
【補正対象書類名】明細書
【補正対象項目名】００１３
【補正方法】変更
【補正の内容】
【００１３】
この構成によれば、遊技者は、第１の範囲を超える範囲で図柄の滑り演出が行われると、ハズレ以外のなんらかの入賞態様に当選したことを認識でき、また、第１の範囲内で図柄の滑り演出が行われると、高い確率でハズレが抽選されたことを認識できる。さらに、遊技者は、第１の範囲に近い範囲で図柄の滑り演出が行われ、滑り範囲を正確に認識できないと、ハズレが抽選されたのではないかと不安になる。
【手続補正９】
【補正対象書類名】明細書
【補正対象項目名】００１６
【補正方法】変更
【補正の内容】
【００１６】
また、本発明は、主演出表示装置が複数の図柄を複数列に表示し、副制御回路が停止する表示列を抽選によって決定することを特徴とする。
【手続補正１０】
【補正対象書類名】明細書
【補正対象項目名】００１７
【補正方法】変更
【補正の内容】
【００１７】
この構成によれば、主演出表示装置の表示列の停止は、規制にとらわれることなく、抽選によって決定されるので、遊技者はどの表示列が停止するのかを事前に把握することは出来ない。
【手続補正１１】
【補正対象書類名】明細書
【補正対象項目名】０１２２
【補正方法】変更
【補正の内容】
【０１２２】
また、副演出表示装置が主制御回路によってその演出表示が制御されるので、主演出表示装置は法規の規制を受けない副制御回路によってその演出表示が制御され、副演出表示装置は主制御回路によってその演出表示が制御される。このため、主演出表示装置の演出補助を行い、複雑な制御やメモリ容量を必要としない副演出表示装置は、規制を受けてメモリ容量も限りがある主制御回路によっても、十分にその演出表示が行える。
【手続補正１２】
【補正対象書類名】明細書
【補正対象項目名】０１２３
【補正方法】変更
【補正の内容】
【０１２３】
また、主制御回路が、抽選した入賞態様に応じた図柄の組み合わせを副演出表示装置に揃える際に図柄を第１の範囲で滑らせ、副制御回路が、主制御回路で抽選された入賞態様に応じた図柄の組み合わせを主演出表示装置に揃える際に図柄を第１の範囲よりも広い第２の範囲で滑らせるので、副制御回路は、主演出表示装置に入賞態様に応じた図柄の組み合わせを揃える際、規制を受けることなく、第１の範囲より広い第２の範囲で図柄を滑らせることが出来る。このため、従来の規制の枠にとらわれない面白みのある滑り演出を主演出表示装置に行わせることが可能になる。
【手続補正１３】
【補正対象書類名】明細書
【補正対象項目名】０１２４
【補正方法】変更
【補正の内容】
【０１２４】
また、副制御回路が、主制御回路でハズレ入賞態様が抽選されると、第１の範囲内で図柄を滑らせ、ハズレ以外の入賞態様が抽選されると、期待値が前記第１の範囲に近くなる抽選によって第２の範囲から選択した範囲で図柄を滑らせる構成の場合、遊技者は、第１の範囲を超える範囲で図柄の滑り演出が行われると、ハズレ以外のなんらかの入賞態様に当選したことを認識でき、また、第１の範囲内で図柄の滑り演出が行われると、高い確率でハズレが抽選されたことを認識できる。さらに、遊技者は、第１の範囲に近い範囲で図柄の滑り演出が行われ、滑り範囲を正確に認識できないと、ハズレが抽選されたのではないかと不安になる。このため、従来の規制の枠にとらわれないこの滑り演出により、ハズレか否かの内部抽選の結果が遊技者に報知されると共に、遊技者の遊技に対する興趣は盛り上がる。
【手続補正１４】
【補正対象書類名】明細書
【補正対象項目名】０１２６
【補正方法】変更
【補正の内容】
【０１２６】
また、主演出表示装置が複数の図柄を複数列に表示し、副制御回路が停止する表示列を抽選によって決定する構成の場合、主演出表示装置の表示列の停止は、規制にとらわれることなく、抽選によって決定されるので、遊技者はどの表示列が停止するのかを事前に把握することは出来ない。このため、遊技者は主演出表示装置のどの表示列が停止するのかを面白みをもって観測するようになり、遊技の興趣は向上する。